(57)【要約】【課題】新たな手法で原稿台に対する原稿の位置ずれの防止を図ることが可能な原稿読取装置を提供する。【解決手段】本原稿読取装置は、画像を読取る原稿を載置し得る原稿台と、ヒンジ機構１２により原稿台に対して開閉自在なカバー部材１０と、カバー部材１０に取付けられ、原稿台に載置された原稿を加圧する加圧板１１と、を備えている。そして、加圧板１１の表面１１ａに対して進退自在に構成されると共に付勢部材により進出する方向に付勢され、かつ原稿のヒンジ機構１２とは反対側の端部よりも外側になるように配置され、カバー部材１０を閉じる際に、原稿のヒンジ機構１２とは反対側への移動を規制する進出部１５Ａａ，１５Ｂａ，１５Ｃａを有する規制部材を設ける。原稿を原稿台のヒンジ機構１２側の位置に載置しておくと、たとえ閉じ動作による風圧が生じても、原稿の移動が規制されて原稿の位置ずれの防止が図られる。【選択図】図４
2014137437.tif 000002
【特許請求の範囲】
【請求項１】
画像を読取る原稿を載置し得る原稿台と、開閉機構により前記原稿台に対して開閉自在なカバー部材と、前記カバー部材に取付けられ、前記原稿台に載置された原稿を加圧する加圧板と、を備えた原稿読取装置において、
前記加圧板の表面に対して進退自在に構成されると共に付勢部材により進出する方向に付勢され、かつ少なくとも原稿の前記開閉機構とは反対側の端部よりも外側になるように配置され、前記カバー部材を閉じる際に、原稿の前記開閉機構とは反対側への移動を規制する規制部材を備えた、
ことを特徴とする原稿読取装置。
【請求項２】
前記規制部材は、前記カバー部材を閉じる際に、前記加圧板の表面が原稿を加圧する前に前記原稿台に接触する、
ことを特徴とする請求項１に記載の原稿読取装置。
【請求項３】
前記規制部材は、前記カバー部材を閉じて前記加圧板の表面が原稿を加圧する状態で、前記加圧板の表面に対して退避する、
ことを特徴とする請求項１又は２に記載の原稿読取装置。
【請求項４】
前記規制部材は、原稿の規定サイズごとに対応するように複数箇所に配置されている、
ことを特徴とする請求項１ないし３のいずれか１項に記載の原稿読取装置。
【請求項５】
前記複数の規制部材は、大きいサイズの原稿に対応するものほど、前記カバー部材を閉じる際に先に前記原稿台に接触するように、前記加圧板の表面から進出する進出量が大きくなるように構成されている、
ことを特徴とする請求項４に記載の原稿読取装置。
【請求項６】
前記カバー部材を閉じる際に、前記カバー部材に対して前記加圧板及び前記規制部材をスライド移動させ、前記原稿台の前記開閉機構の側の外縁に設けられたガイド部に原稿を突き当てさせるスライド移動機構を備えた、
ことを特徴とする請求項１ないし５のいずれか１項に記載の原稿読取装置。
【請求項７】
前記原稿台の前記開閉機構の側の外縁に、原稿を突き当てし得るように設けられたガイド部を備え、
前記ガイド部は、前記カバー部材を閉じる際に発生する風を前記開閉機構から前記原稿台に向くように整流する整流部を有する、
ことを特徴とする請求項１ないし６のいずれか１項に記載の原稿読取装置。
【発明の詳細な説明】
【技術分野】
【０００１】
本発明は、複写機、スキャナー、ＦＡＸやそれらを複合した複合機などに搭載され、原稿の画像を読取る原稿読取装置に係り、特に開閉機構により原稿台に対して開閉自在なカバー部材及びそれに取付けられて原稿を加圧する加圧板を備えた原稿読取装置に関する。
【背景技術】
【０００２】
一般に、複写機等に用いられる原稿読取装置においては、原稿を原稿台に固定するために、原稿台に対して開閉自在な原稿押圧板（カバー部材）に原稿を押付ける原稿押圧部材（加圧板）が取付けられている（特許文献１参照）。このものは、原稿を原稿台の片側に突き当てて載置した後、ヒンジ部材によって開閉される原稿押圧板を閉めると、原稿押圧部材が原稿を原稿台に押圧しつつ原稿押圧板に対してスライドし、原稿の厚みに応じて原稿を原稿台のガラス面に密着する。
【０００３】
上記特許文献１のものは、原稿押圧部材が原稿押圧板に対して原稿の厚み方向にスライド移動するものであるが、原稿押圧板（カバー部材）を閉める際に、原稿台に載置された原稿の位置が原稿台上でずれる可能性について考慮されていない。
【０００４】
そこで、原稿を原稿台に載置して原稿押圧板（カバー部材）を閉めるとヒンジ形状により原稿押圧板が移動し、原稿押圧部材（加圧板）により原稿を原稿位置決め部材に向かって摩擦力で移動させて、原稿を位置調整するものが提案されている（特許文献２参照）。
【０００５】
また、原稿を原稿台に載置する際に、原稿押さえ部と原稿台との隙間に原稿を挿入して載置し、原稿押圧板（カバー部材）を閉めることで原稿押さえ部が原稿を原稿台に押さえることで、原稿の位置ずれの防止を図ったものも提案されている（特許文献３参照）。
【先行技術文献】
【特許文献】
【０００６】
【特許文献１】特開平７−９５３６８号公報
【特許文献２】特開平８−２２０９０号公報
【特許文献３】特開２０００−１９４０８０号公報
【発明の概要】
【発明が解決しようとする課題】
【０００７】
上記特許文献２のものは、原稿押圧板（カバー部材）を閉める際に原稿押圧部材（加圧板）により原稿を原稿位置決め部材に向かって移動させている。しかしながら、原稿と原稿押圧部材（加圧板）との間の摺動抵抗により原稿を移動するため、原稿の紙種によって移動量が安定しないという問題がある。
【０００８】
また、上記特許文献３のものは、原稿を原稿台に載置する際に、原稿押さえ部と原稿台との隙間に原稿を挿入する必要があるので、原稿の端部がどこまで挿入されたか見えず、原稿の位置をセットし難いという問題がある。更に、特許文献３のものは、厚みの厚い（例えば書籍）原稿であると、原稿押さえ部と原稿台との隙間に原稿を挿入することができないという問題もある。
【０００９】
そこで本発明は、新たな手法で原稿台に対する原稿の位置ずれの防止を図ることが可能な原稿読取装置を提供することを目的とするものである。
【課題を解決するための手段】
【００１０】
本発明は、画像を読取る原稿を載置し得る原稿台と、開閉機構により前記原稿台に対して開閉自在なカバー部材と、前記カバー部材に取付けられ、前記原稿台に載置された原稿を加圧する加圧板と、を備えた原稿読取装置において、前記加圧板の表面に対して進退自在に構成されると共に付勢部材により進出する方向に付勢され、かつ少なくとも原稿の前記開閉機構とは反対側の端部よりも外側になるように配置され、前記カバー部材を閉じる際に、原稿の前記開閉機構とは反対側への移動を規制する規制部材を備えたことを特徴とする。
【発明の効果】
【００１１】
本発明によると、カバー部材を閉じる際に、原稿の開閉機構とは反対側への移動を規制する規制部材を備えたので、原稿を原稿台の開閉機構側の位置に載置しておくことで、原稿の移動が規制されて原稿の位置ずれの防止を図ることができる。また、規制部材は、原稿の開閉機構とは反対側の端部を規制するため、原稿と加圧板との摩擦力だけで原稿の位置を位置決めすることがないので、安定した原稿の位置決めを行うことができる。さらに、例えば原稿押さえ部を設けて、原稿押さえ部と原稿台との隙間に原稿を挿入する必要もないので、原稿を原稿台に載置する際に視認できて原稿の位置をセットし易く、また、厚みの厚い原稿でも原稿台に載置することができる。
【図面の簡単な説明】
【００１２】
【図１】カバー部材を開いた状態の原稿読取装置を示す図で、（ａ）は原稿読取装置を搭載した複写機を示す全体斜視図、（ｂ）は原稿読取装置を示す拡大斜視図。
【図２】カバー部材を閉じた際の原稿読取装置を示す図で、（ａ）は原稿読取装置を搭載した複写機を示す全体斜視図、（ｂ）はカバー部材を閉じた際の原稿台を示す上方視図。
【図３】原稿台の一端部に配置された整流部を一部切り欠いて示す斜視図。
【図４】カバー部材の内側を示す斜視図。
【図５】カバー部材とコマ部材と加圧板との関係を示す分解斜視断面図。
【図６】カバー部材とコマ部材と加圧板とを示す斜視断面図。
【図７】第１の実施の形態における加圧板のスライド移動構造を説明する図で、（ａ）は加圧板の突起部を示す斜視図、（ｂ）は突起部とそれが嵌合する凹部とを示す斜視図。
【図８】加圧板のスライド移動を説明する図で、（ａ）は嵌合前の突起部と凹部との位置関係を示す模式図、（ｂ）は嵌合後の突起部と凹部との位置関係を示す模式図。
【図９】原稿台の外縁に配置された加圧板をスライド位置決めするためのテーパ部材を示す斜視図。
【図１０】第２の実施の形態における加圧板のスライド移動構造を説明する図。
【発明を実施するための形態】
【００１３】
＜第１の実施の形態＞
以下、本発明に係る第１の実施の形態を図１乃至図９に沿って説明する。図１（ａ）に示すように、画像形成装置１００は、上部に本発明に係る原稿読取装置１を搭載しており、例えば原稿読取装置１で読取った原稿の画像を複写する形でシートに画像を形成して排出する。なお、原稿読取装置１で読取った原稿の画像は、画像情報として、例えば内蔵されたハードディスク等の記録媒体に格納したり、外部接続されたコンピュータ等に送信したりすることも可能であり、必ずしもシートに印刷するものとは限らない。
【００１４】
本原稿読取装置１は、画像形成装置１００の上部に配設された画像読取部２０を有しており、画像読取部２０は、上面に例えば透明ガラスからなる原稿台２１を有している。原稿台２１の下方には、この原稿台２１に向けて光源の光を照射すると共に反射光を走査するスキャンユニットとが、例えば原稿台２１の長手方向に水平移動自在に配置されている。即ち、原稿台２１に載置された原稿の画像は、このスキャンユニットにより水平移動しつつ走査されて読取られることになる。
【００１５】
本原稿読取装置１は、図１（ａ）及び図１（ｂ）に示すように、画像読取部２０の原稿台２１に対して、例えば正面視で左右２箇所に配設されたヒンジ機構（開閉機構）１２により開閉自在に設置されたカバー部材１０を備えている。また、カバー部材１０には、原稿台２１に対向する側の内面に取付けられ、原稿台２１に載置された原稿を加圧するための加圧板１１が備えられている。
【００１６】
一方、図１（ｂ）及び図２（ｂ）に示すように、原稿台２１の正面視で左側の端部と、ヒンジ機構１２側の端部（図中上側端部）とには、ガイド部３１，３２が配設されている。これらガイド部３１，３２は、それぞれ原稿を載置する際に原稿の直交する２辺の端部に当接して原稿の位置決めをガイドし得るように原稿台２１に対して固定配置されている。言い換えると、ガイド部３１は、原稿台２１の外縁にあって、ヒンジ機構１２に向く方向に沿って設けられ、ガイド部３２は、ヒンジ機構１２の側に原稿台２１の外縁に沿って設けられている。
【００１７】
また、このうちのガイド部３２と原稿台２１との間には、図１（ｂ）及び図３に示すように、複数の整流板３３が、それらの間に溝３４を所定間隔で形成するように並べて配置されている。即ち、これら整流板３３及び溝３４により、通り抜ける気流を整流する整流部３５を構成している。
【００１８】
従って、図２（ａ）に示すように、カバー部材１０を原稿台２１（画像読取部２０）に対して閉じると、その閉じ方向に対して矢印Ｗで示す気流が発生する。この際、図３に示すように、上記整流部３５を気流が通り抜けることで、原稿Ｐに吹き付ける気流が矢印Ｗで示すように、閉じ方向に整流される。これにより、例えば気流が乱流となって原稿台２１に載置された原稿Ｐを、カバー部材１０の閉じ動作で矢印Ｗと直交する横方向にずらすようなことが発生し難くなる。従って、原稿台２１に載置された原稿Ｐは、矢印Ｗで示す閉じ方向に略々均等に風圧が作用し、カバー部材１０の閉じ動作で原稿Ｐに作用する力は、閉じ方向だけとなる。
【００１９】
ついで、本発明の要部となるコマ部材（規制部材）１５Ａ，１５Ｂ，１５Ｃについて図４乃至図６に沿って説明する。図５に示すように、コマ部材１５Ａ，１５Ｂ，１５Ｃは、カバー部材１０と加圧板１１との間に配置されており、カバー部材１０の内面における各コマ部材１５Ａ，１５Ｂ，１５Ｃに対応する位置には、それぞれスポンジ（付勢部材）１６が固着されている。また、各コマ部材１５Ａ，１５Ｂ，１５Ｃは、それぞれ加圧板１１側にそれぞれ２箇所の進出部１５Ａａ，１５Ｂａ，１５Ｃａをそれぞれ有している。そして、加圧板１１には、それら進出部１５Ａａ，１５Ｂａ，１５Ｃａに対応する位置にそれぞれ貫通孔１１ｂが形成されている。
【００２０】
従って、図４に示すように、カバー部材１０に取付けられた加圧板１１の表面１１ａからは、各コマ部材１５Ａ，１５Ｂ，１５Ｃの進出部１５Ａａ，１５Ｂａ，１５Ｃａがスポンジ１６によって付勢されて進退自在になるように構成されている。即ち、各進出部１５Ａａ，１５Ｂａ，１５Ｃａは、カバー部材１０は開いた状態で、加圧板１１の表面１１ａから進出した状態にあるので、カバー部材１０を閉じる際に、加圧板１１の表面１１ａが原稿Ｐを加圧する前に原稿台２１に接触する。このため、原稿Ｐは、加圧板１１で加圧されて原稿台２１に抑えつけられる前に、各進出部１５Ａａ，１５Ｂａ，１５Ｃａで風圧による移動が規制される。そして、進出部１５Ａａ，１５Ｂａ，１５Ｃａは、カバー部材１０を閉じて加圧板１１の表面１１ａが原稿Ｐを加圧する状態となると、原稿台２１で押し返される形で、加圧板１１の表面１１ａに対して退避する。
【００２１】
詳細には、各コマ部材のうち、コマ部材１５Ａの進出部１５Ａａは、原稿台２１に、例えばＡ５サイズの原稿をガイド部３２に当接させて載置した際のヒンジ機構１２とは反対側の端部ＬＡ５よりも外側となるように配置されている。また、各コマ部材のうち、２箇所のコマ部材１５Ｂの進出部１５Ｂａは、原稿台２１に、例えばＡ４サイズの原稿をガイド部３２に当接させて載置した際のヒンジ機構１２とは反対側の端部ＬＡ４よりも外側となるように配置されている。そして、各コマ部材のうち、２箇所のコマ部材１５Ｃの進出部１５Ｃａは、原稿台２１に、例えばＡ３サイズの原稿をガイド部３２に当接させて載置した際のヒンジ機構１２とは反対側の端部ＬＡ３よりも外側となるように配置されている。つまり、コマ部材１５Ａ，１５Ｂ，１５Ｃは、原稿の規定サイズごとに対応するように複数箇所に配置されている。
【００２２】
なお、本実施の形態では、例えばＡ５、Ａ４、Ａ３サイズに対応するように、３種類のコマ部材１５Ａ，１５Ｂ，１５Ｃを配置したもの説明している。しかしながら、コマ部材は、その他の規定サイズに対しても必要に応じて、原稿の規定サイズごとに対応するように複数箇所に配置されていることが好ましい。その他の規定サイズとしては、Ｂ５、Ｂ４、Ｂ３サイズ、リーガルサイズ、はがきサイズなど、原稿読取装置１の使用態様によって多くの規定サイズが用いられることも考えられる。
【００２３】
上述したように各進出部１５Ａａ，１５Ｂａ，１５Ｃａは、各原稿の規定サイズの端部ＬＡ５，ＬＡ４，ＬＡ３よりも外側となるように配置され、詳細には図６に示すように、端部ＬＡ５，ＬＡ４，ＬＡ３よりも所定距離Ｓａだけ外側となるように配置されている。例えば、進出部１５Ａａは、原稿がＡ５サイズである際の端部ＬＡ５よりも所定距離Ｓａだけヒンジ機構１２に対して反対側の外側の位置ＳＡ５になるように配置されている。また、例えば、進出部１５Ｂａは、原稿がＡ４サイズである際の端部ＬＡ４よりも所定距離Ｓａだけヒンジ機構１２に対して反対側の外側の位置ＳＡ４になるように配置されている。なお、図示を省略したが、進出部１５Ｃａも、原稿がＡ３サイズである際の端部ＬＡ３よりも所定距離Ｓａだけヒンジ機構１２に対して反対側の外側位置になるように配置されている。即ち、この所定距離Ｓａは、詳しくは後述する加圧板１１のスライド移動機構によるヒンジ機構１２側への（正面視で縦方向への）移動量と同じになるように設定されている。
【００２４】
また、上述したコマ部材１５Ａの進出部１５Ａａは、加圧板１１の表面１１ａから第１進出量ＤＡで進出するような長さに形成されている。さらに、上述したコマ部材１５Ｂの進出部１５Ｂａは、加圧板１１の表面１１ａから上記第１進出量ＤＡよりも長い第２進出量ＤＢで進出するような長さに形成されている。なお、図示を省略したが、進出部１５Ｃａも、加圧板１１の表面１１ａから上記第２進出量ＤＢよりも長い第３進出量で進出するような長さに形成されている。つまり、進出部１５Ａａ，１５Ｂａ，１５Ｃａの長さは、原稿の規定サイズが大きいサイズに対応するものほど、加圧板１１の表面１１ａから進出する進出量が大きくなるように構成されている。これにより、カバー部材１０を閉じる際に、進出部１５Ａａ，１５Ｂａ，１５Ｃａのうち、大きいサイズの原稿に対応するものほど、先に原稿台２１に接触するように構成されている。
【００２５】
従って、例えばＡ３サイズのような大きな規定サイズの原稿が原稿台２１に載置された場合、コマ部材１５Ｃの進出部１５Ｃａで風圧による原稿の移動が規制された後に、コマ部材１５Ｂの進出部１５Ｂａやコマ部材１５Ａの進出部１５Ａａが後から原稿に当接する。そのため、カバー部材１０を閉じる際に、サイズの小さいものに対応した進出部１５Ｂａや進出部１５Ａａが風圧で移動中の原稿の上面を無理に抑えつけてしまうことが防止される。つまり、よりサイズの大きい原稿の端部が対応する進出部で移動が規制された後に、小さいサイズに対応する進出部が後から接触することになるので、風圧で移動中の原稿の上面を無理に抑えつけるようなことが防止される。
【００２６】
ついで、第１の実施の形態における加圧板１１のスライド移動機構の構造、及び原稿のスライド移動について図７乃至図９に沿って説明する。
【００２７】
本第１の実施の形態に係るスライド移動機構は、図７（ａ）に示す加圧板１１の表面１１ａから突出するように固着された突起部１８と、図７（ｂ）に示す画像読取部２０の原稿台２１の外縁にあって凹むように形成された凹部１９と、で構成されている。突起部１８は円錐形状に形成され、反対に凹部１９は逆円錐形状に形成され、カバー部材１０を原稿台２１に対して閉じた際に、互いに中心を一致させて嵌合するように構成されている。
【００２８】
即ち、図８（ａ）に示すように、カバー部材１０を閉じる直前の状態では、突起部１８の先端部分と凹部１９との中心位置（つまり加圧板１１と原稿台２１との相対位置）が所定距離Ｓでずれるように設定されている。即ち、直交方向に分離して考えると、ヒンジ機構１２の側に向かう方向（正面視で縦方向）に対しては所定距離Ｓａで、それに直交する方向（正面視で横方向）に対しては所定距離Ｓｂで、位置がずれるように設定されている。
【００２９】
そして、カバー部材１０を閉じると、図８（ｂ）に示すように、円錐形状の突起部１８の先端部分が逆円錐形状の凹部１９に案内されて、それらの中心位置が一致する。即ち、カバー部材１０を閉じると、そのカバー部材１０に対して加圧板１１及び上記コマ部材１５Ａ，１５Ｂ，１５Ｃが、所定距離Ｓで水平方向に相対移動する。またこの際、図９に示すように、加圧板１１は、原稿台２１の外縁に設置され、原稿台２１の中心方向に向けて傾斜した傾斜面を有する案内部材３６，３７に案内される。これにより、加圧板１１は、より正確に所定距離Ｓで水平方向に相対移動する。
【００３０】
要するに、原稿台２１に載置された原稿は、カバー部材１０を閉じていき、各コマ部材１５Ａ，１５Ｂ，１５Ｃの進出部１５Ａａ，１５Ｂａ，１５Ｃａが原稿台２１に当接した時点で、ずれ量が上記所定距離Ｓａで規制される（図６参照）。その後、原稿台２１に対して加圧板１１で加圧される原稿は、加圧板１１が所定距離Ｓで原稿を加圧されつつ移動される（図７乃至図９参照）。それにより、加圧板１１により所定距離Ｓで移動される原稿は、上述した原稿台２１の外縁に設置されたガイド部３１，３２に突き当てされる。従って、原稿は、カバー部材１０の閉じ動作に伴う風圧で移動したとしても、加圧板１１のスライド移動でガイド部３１，３２に突き当てられ、適正な位置に位置決めされる。これにより、原稿読取装置１による原稿の画像読取動作が適正な位置で行われ、精度の良い読取画像が得られることになる。
【００３１】
以上説明したように、本第１の実施の形態に係る原稿読取装置１によると、カバー部材１０を閉じる際に、原稿のヒンジ機構１２とは反対側への移動を規制するコマ部材１５Ａ，１５Ｂ，１５Ｃを備えている。これにより、原稿を原稿台２１のヒンジ機構１２側の位置に載置（セット）しておくことで、原稿の移動が規制されて原稿の位置ずれの防止を図ることができる。また、コマ部材１５Ａ，１５Ｂ，１５Ｃは、原稿のヒンジ機構１２とは反対側の端部を規制するため、原稿と加圧板１１との摩擦力だけで原稿の位置を位置決めすることがないので、安定した原稿の位置決めを行うことができる。さらに、例えば原稿押さえ部などを設けて、原稿押さえ部と原稿台との隙間に原稿を挿入する必要もないので、原稿を原稿台２１に載置する際に視認できて原稿の位置をセットし易く、また、厚みの厚い原稿でも原稿台２１に載置することができる。
【００３２】
＜第２の実施の形態＞
ついで、上記第１の実施の形態を一部変更した第２の実施の形態について図１０に沿って説明する。なお、本第２実施の形態の説明において、上記第１の実施の形態と同様な部分については、同様な構成として、その説明を省略する。
【００３３】
本第２の実施の形態は、カバー部材１０を閉じた際に加圧板１１を所定距離Ｓで水平方向にスライド移動させるスライド移動機構の構造を変更したものである。
【００３４】
即ち、本第２の実施の形態においては、カバー部材１０と加圧板１１との間に、スライド移動機構としてのスライドリンク機構７０と、スポンジ７５とを配設したものである。スライドリンク機構７０は、加圧板１１の背面に固定された第１固定部７１と、カバー部材１０の裏面に固定された第２固定部７２と、それら第１固定部７１及び第２固定部７２とに回動自在に連結されたリンク７３とを有して構成されている。また、カバー部材１０と加圧板１１との間には、スポンジ７５が、外力が加わらない状態で側面視長方形となるように、カバー部材１０の裏面と加圧板１１の背面との間に固着されている。
【００３５】
従って、カバー部材１０を原稿台２１に対して閉じると、スポンジ７５によりカバー部材１０及び加圧板１１に対して略々垂直であったリンク７３が、図１０に示すように、矢印ω方向に回動し、第２固定部７２に対して第１固定部７１をスライド移動する。これにより、加圧板１１は、カバー部材１０に対して所定距離Ｓで水平方向に相対移動する。またこの際、スポンジ７５により、加圧板１１は原稿台２１にある原稿を加圧することになる。
【００３６】
以上のように構成された第２の実施の形態におけるスライド移動機構にあっても、カバー部材１０を閉じた際に、原稿台２１に載置された原稿を、加圧板１１によって所定距離Ｓで移動し、ガイド部３１，３２に突き当てて、適正な位置に位置決めする。これにより、原稿読取装置１による原稿の画像読取動作が適正な位置で行われ、精度の良い読取画像が得られることになる。
【００３７】
なお、スポンジ７５は、第１の実施の形態におけるスポンジ１６と同様の作用を奏するように構成することが好ましく、つまりスポンジ７５でコマ部材１５Ａ，１５Ｂ，１５Ｃを加圧板１１に対して進退自在に付勢するように構成することが好ましい。これにより、部品点数の削減などが可能となる。
【００３８】
なお、これ以外の第２の実施の形態の構成、作用、効果は、第１の実施の形態と同様であるので、その説明を省略する。
【００３９】
なお、以上説明した第１及び第２の実施の形態においては、原稿読取装置１を複合機としての画像形成装置１００に搭載したものを説明したが、これに限るものではない。原稿読取装置１は、例えば複写機、ハンドスキャナ、ＦＡＸなどにも用いることができ、さらにこれらに限らず、カバー部材１０及び加圧板１１を原稿台２１に対して開閉する構造を有していれば、何れのものでも適用できる。
【００４０】
また、以上説明した第１及び第２の実施の形態においては、コマ部材（規制部材）１５Ａ，１５Ｂ，１５Ｃを、原稿におけるヒンジ機構１２とは反対側の端部を規制し、つまりガイド部３２から遠ざかる方向（正面視で縦方向）に対して規制するように配置した。しかしながら、規制部材を、ガイド部３１から遠ざかる方向（正面視で横方向）に対して規制するように配置してもよい。その場合は、気流を整流する整流部をガイド部３１と原稿台２１との間に設けてもよい。また、勿論であるが、規制部材は、正面視で縦方向と横方向との両方に対して配列するように設けてもよい。
【符号の説明】
【００４１】
１…原稿読取装置：１０…カバー部材：１１…加圧板：１１ａ…加圧板の表面：１２…開閉機構（ヒンジ機構）：１５Ａ，１５Ｂ，１５Ｃ…規制部材（コマ部材）：１６…付勢部材（スポンジ）：１８…スライド移動機構（突起部）：１９…スライド移動機構（凹部）：２１…原稿台：３２…ガイド部：３５…整流部：７０…スライド移動機構（スライドリンク機構）：ＤＡ，ＤＢ…進出量：Ｐ…原稿
【図１】
2014137437.tif 000003
【図２】
2014137437.tif 000004
【図３】
2014137437.tif 000005
【図４】
2014137437.tif 000006
【図５】
2014137437.tif 000007
【図６】
2014137437.tif 000008
【図７】
2014137437.tif 000009
【図８】
2014137437.tif 000010
【図９】
2014137437.tif 000011
【図１０】
2014137437.tif 000012